(57)【要約】【課題】  水平材に連結できる取付金具であって簡易に連結でき連結箇所の滑りにくい取付金具とその取付金具を利用した仮設足場の構成部材を提供しようとする。【解決手段】  従来の取付金具に変わって、横から見て下端に下端開放部を形成し水平材の外側に上方から被さる様に嵌まる輪郭を持つ切欠き部を設けられる取付金具本体と、前記取付金具本体に斜め上下方向に移動可能に取り付けられて前記切欠き部が水平材に嵌まる状態で水平材に当接して前記下端開放部の少なくとも一部を閉塞する態様に配置される最下の位置と前記進出位置から斜め上方に移動して前記下端開放部を開放する態様に配置される位置との間で位置を移動できる楔部材と、前記取付金具本体が水平材から外された状態で前記楔部材が所定位置より下方に下がらない様に前記楔部材に当たるストッパと、を備えるものとにとした。【選択図】    図１
2016089444.tif 000002
【特許請求の範囲】
【請求項１】
部材本体に固定され水平に延びる長手部材である水平材に連結できる取付金具であって、
横から見て下端に開放部である下端開放部を形成し水平材の外側に上方から被さる様に嵌まる輪郭を持つ切欠き部を設けられる取付金具本体と、
前記取付金具本体に斜め上下方向に移動可能に取り付けられて前記切欠き部が水平材の外側に上方から被さる様に嵌まる状態で水平材に当接して前記下端開放部の少なくとも一部を閉塞する態様に配置される最下の位置である進出位置と前記進出位置から斜め上方に移動して前記下端開放部を開放する態様に配置される位置である後退位置との間で位置を移動できる楔部材と、
前記取付金具本体が水平材から外された状態で前記楔部材が所定位置より下方に下がらない様に前記楔部材に当たるストッパと、
を備え、
前記進出位置が前記所定位置よりも上方である、
ことを特徴とする取付金具。
【請求項２】
前記切欠き部が水平材の外側に上方から被さる様に嵌まる状態で前記進出位置に位置する前記楔部材を下方に押すと、前記取付金具本体と前記楔部材とが水平材を挟み込む様になった、
ことを特徴とする請求項１に記載の取付金具。
【請求項３】
前記取付金具本体が前記切欠き部を設けられる取付金具本体片材と該取付金具本体片材の側面に固定され前記楔部材が通る楔部材取付穴の輪郭の少なくとも一部を形成する楔部材取付片とを有し、
前記楔部材取付片が横から見て面を斜め上下方向に向ける板材であり、
前記楔部材が位置を前記後退位置にして上部を前記楔部材取付片の上部に近づける向きに回転したときに、前記楔部材が安定して保持される、
ことを特徴とする請求項２に記載の取付金具。
【請求項４】
部材本体に固定され水平に延びる長手部材である水平材に連結できる取付金具であって、
横から見て下端に開放部である下端開放部を形成し水平材の外側に上方から被さる様に嵌まる輪郭を持つ切欠き部を設けられる取付金具本体と、
前記取付金具本体に斜め上下方向に移動可能に取り付けられて前記切欠き部が水平材の外側に上方から被さる様に嵌まる状態で水平材に当接して前記下端開放部の少なくとも一部を閉塞する態様に配置される最下の位置である進出位置と前記進出位置から斜め上方に移動して前記下端開放部を開放する態様に配置される位置である後退位置との間で位置を移動できる楔部材と、
を備え、
前記取付金具本体が前記切欠き部を設けられる取付金具本体片材と該取付金具本体片材の側面に固定され前記楔部材が通る楔部材取付穴の輪郭の少なくとも一部を形成する楔部材取付片とを有し、
前記楔部材取付片が横から見て面を斜め上下方向に向ける板材であり、
前記楔部材が位置を前記後退位置にして上部を前記楔部材取付片の上部に近づける向きに回転したときに、前記楔部材が安定して保持される、
ことを特徴とする取付金具。
【請求項５】
仮設足場の構成部材であって、
構成部材のうちの一つの構造部材である部材本体と、
部材本体に固定され他の構成部材の一部であって水平に延びる長手部材である水平材に連結できる取付金具と、
を備え、
横から見て下端に開放部である下端開放部を形成し水平材の外側に上方から被さる様に嵌まる輪郭を持つ切欠き部を設けられる取付金具本体と、
前記取付金具本体に斜め上下方向に移動可能に取り付けられて前記切欠き部が水平材の外側に上方から被さる様に嵌まる状態で水平材に当接して前記下端開放部の少なくとも一部を閉塞する態様に配置される最下の位置である進出位置と前記進出位置から斜め上方に移動して前記下端開放部を開放する態様に配置される位置である後退位置との間で位置を移動できる楔部材と、
前記取付金具本体が水平材から外された状態で前記楔部材が所定位置より下方に下がらない様に前記楔部材に当たるストッパと、を有し、
前記進出位置が前記所定位置よりも上方である、
ことを特徴とする仮設足場の構成部材。
【請求項６】
一つの構成部材が仮設足場用踏板であって、
水平材が他の構成部材である仮設足場用ブラケットの水平に延びる横架材であって、
仮設足場用踏板の枠体の一部または全体を形成し前記取付金具本体を固定される構造材が前記ストッパを兼ねる、
ことを特徴とする請求項５に記載される仮設足場の構成部材。
【請求項７】
前記切欠き部が水平材の外側に上方から被さる様に嵌まる状態で前記進出位置に位置する前記楔部材を下方に押すと、前記取付金具本体と前記楔部材とが水平材を挟み込む様になった、
ことを特徴とする請求項６に記載の仮設足場の構成部材。
【請求項８】
前記取付金具本体が前記切欠き部を設けられる取付金具本体片材と該取付金具本体片材の側面に固定され前記楔部材が通る楔部材取付穴の輪郭の少なくとも一部を形成する楔部材取付片とを持ち、
前記楔部材取付片が横から見て面を斜め上下方向に向ける板材であり、
前記楔部材が位置を前記後退位置にして上部を前記楔部材取付片の上部に近づける向きに回転したときに前記楔部材が安定して保持される、
ことを特徴とする請求項７に記載の取付金具。
【請求項９】
仮設足場の構成部材であって、
構成部材のうちの一つの構造部材である部材本体と、
部材本体に固定され他の構成部材の一部であって水平に延びる長手部材である水平材に連結できる取付金具と、
を備え、
横から見て下端に開放部である下端開放部を形成し水平材の外側に上方から被さる様に嵌まる輪郭を持つ切欠き部を設けられる取付金具本体と、
前記取付金具本体に斜め上下方向に移動可能に取り付けられて前記切欠き部が水平材の外側に上方から被さる様に嵌まる状態で水平材に当接して前記下端開放部の少なくとも一部を閉塞する態様に配置される最下の位置である進出位置と前記進出位置から斜め上方に移動して前記下端開放部を開放する態様に配置される位置である後退位置との間で位置を移動できる楔部材と、
を有し、
前記取付金具本体が前記切欠き部を設けられる取付金具本体片材と該取付金具本体片材の側面に固定され前記楔部材が通る楔部材取付穴の輪郭の少なくとも一部を形成する楔部材取付片とを持ち、
前記楔部材取付片が横から見て面を斜め上下方向に向ける板材であり、
前記楔部材が位置を前記後退位置にして上部を前記楔部材取付片の上部に近づける向きに回転したときに、前記楔部材が安定して保持される、
ことを特徴とする取付金具。
【発明の詳細な説明】
【技術分野】
【０００１】
本発明は、取付金具に係る。特に、脱着の容易な取付金具とそれを備えた仮設足場の構成部材に関する。
【背景技術】
【０００２】
いろいろな場面で、取付金具が用いられる。
部材本体に固定される取付金具が水平に延びる長手部材である水平材に連結して、部材本体と水平材とを連結する。
【０００３】
例えば、仮設足場を組み立てる場面で、取付金具が用いられる。
例えば、仮設足場は、足場用支柱１０とブラケット２０と踏板３０と手摺４０と火打ち５０と筋交い６０、その他で構成される。
図１７、図１８に、仮設足場の一例を示す。
縦方向に連結された複数の足場用支柱１０が、建築される建物の周囲に所定のピッチで配置される。
例えば、縦方向に連結された複数の足場用支柱１０が、建築される建物の周囲に所定のピッチで２重に配置される。
ブラケット２０が、２重に配置される足場用支柱１０に連結される。
踏板３０が、ブラケット２０に連結される。
手摺４０が、所定のピッチで配置される足場用支柱１０に連結される。
火打ち５０が、建築物のコーナー部に配置され互いに直交する手摺４０に連結される。
筋交い６０が、隣り合った足場用支柱１０に渡り掛けられる。
【０００４】
建物の建築現場等で用いられる仮設足場を組み立てる際に仮設足場を構成する構成部材同士を連結するのに取付金具が用いられる。
例えば、踏板３０をブラケット２０に連結するのに取付金具が用いられる。
例えば、火打ち５０を手摺４０に連結するのに取付金具が用いられる。
【０００５】
作業員が仮設足場を組み立てるために、取付金具を用いて仮設足場の構成部材に簡易に連結できるのが望ましい。
また、作業員が仮設足場の上で安心して作業するために、取付金具仮設足場の構成部材の連結箇所がずれないのが望ましい。
【発明の概要】
【発明が解決しようとする課題】
【０００６】
本発明は以上に述べた問題点に鑑み案出されたもので、水平材に連結できる取付金具であって簡易に連結でき連結箇所の滑りにくい取付金具とその取付金具を利用した仮設足場の構成部材を提供しようとする。
【課題を解決するための手段】
【０００７】
上記目的を達成するため、本発明に係る部材本体に固定され水平に延びる長手部材である水平材に連結できる取付金具であって、横から見て下端に開放部である下端開放部を形成し水平材の外側に上方から被さる様に嵌まる輪郭を持つ切欠き部を設けられる取付金具本体と、前記取付金具本体に斜め上下方向に移動可能に取り付けられて前記切欠き部が水平材の外側に上方から被さる様に嵌まる状態で水平材に当接して前記下端開放部の少なくとも一部を閉塞する態様に配置される最下の位置である進出位置と前記進出位置から斜め上方に移動して前記下端開放部を開放する態様に配置される位置である後退位置との間で位置を移動できる楔部材と、前記取付金具本体が水平材から外された状態で前記楔部材が所定位置より下方に下がらない様に前記楔部材に当たるストッパと、
を備え、前記進出位置が前記所定位置よりも上方である、もとにとした。
【０００８】
上記本発明の構成により、取付金具本体が、横から見て下端に開放部である下端開放部を形成し水平材の外側に上方から被さる様に嵌まる輪郭を持つ切欠き部を設けられる。楔部材が、前記取付金具本体に斜め上下方向に移動可能に取り付けられて、前記切欠き部が水平材の外側に上方から被さる様に嵌まる状態で、水平材に当接して前記下端開放部の少なくとも一部を閉塞する態様に配置される最下の位置である進出位置と、前記進出位置から斜め上方に移動して前記下端開放部を開放する態様に配置される位置である後退位置との間で位置を移動できる。ストッパが、前記取付金具本体が水平材から外された状態で前記楔部材が所定位置より下方に下がらない様に前記楔部材に当たる。
前記進出位置が前記所定位置よりも上方である。
その結果、取付金具を水平材に取り付けて部材本体と水平材とを連結できる。
【０００９】
以下に、本発明の実施形態に係る取付金具を説明する。本発明は、以下に記載した実施形態のいずれか、またはそれらの中の二つ以上が組み合わされた態様を含む。
【００１０】
本発明の実施形態に係る取付金具は、前記切欠き部が水平材の外側に上方から被さる様に嵌まる状態で前記進出位置に位置する前記楔部材を下方に押すと、前記取付金具本体と前記楔部材とが水平材を挟み込む様になった。
上記の実施形態の構成により、前記切欠き部が水平材の外側に上方から被さる様に嵌まる状態で前記進出位置に位置する前記楔部材を下方に押すと、前記取付金具本体と前記楔部材とが水平材を挟み込む様になった。
その結果、取付金具が水平材に取り付けられた取付箇所が滑りにくい。
【００１１】
本発明の実施形態に係る取付金具は、前記取付金具本体が前記切欠き部を設けられる取付金具本体片材と該取付金具本体片材の側面に固定され前記楔部材が通る楔部材取付穴の輪郭の少なくとも一部を形成する楔部材取付片とを有し、前記楔部材取付片が横から見て面を斜め上下方向に向ける板材であり、前記楔部材が位置を前記後退位置にし上部を楔部材取付片の上部に近づける向きに回転したときに、前記楔部材が安定して保持される。
上記の実施形態の構成により、前記取付金具本体が前記切欠き部を設けられる取付金具本体片材と該取付金具本体片材の側面に固定され前記楔部材が通る楔部材取付穴の輪郭の少なくとも一部を形成する楔部材取付片とを有るる。前記楔部材取付片が横から見て面を斜め上下方向に向ける板材である。前記楔部材が位置を前記後退位置にし上部を楔部材取付片の上部に近づける向きに回転したときに、前記楔部材が安定して保持される。
その結果、簡単に取付金具を水平材から外すことをできる。
【００１２】
上記目的を達成するため、本発明に係る仮設足場の構成部材であって、構成部材のうちの一つの構造部材である部材本体と、部材本体に固定され他の一つの構成部材の一部であって水平に延びる長手部材である水平材に連結できる取付金具と、を備え、横から見て下端に開放部である下端開放部を形成し水平材の外側に上方から被さる様に嵌まる輪郭を持つ切欠き部を設けられる取付金具本体と、前記取付金具本体に斜め上下方向に移動可能に取り付けられて前記切欠き部が水平材の外側に上方から被さる様に嵌まる状態で水平材に当接して前記下端開放部の少なくとも一部を閉塞する態様に配置される最下の位置である進出位置と前記進出位置から斜め上方に移動して前記下端開放部を開放する態様に配置される位置である後退位置との間で位置を移動できる楔部材と、前記取付金具本体が水平材から外された状態で前記楔部材が所定位置より下方に下がらない様に前記楔部材に当たるストッパと、を有し、前記進出位置が前記所定位置よりも上方である、もとにとした。
【００１３】
上記本発明の構成により、部材本体が、構成部材のうちの一つの構造部材である。取付金具が、部材本体に固定され他の構成部材の一部であって水平に延びる長手部材である水平材に連結できる。取付金具本体が、横から見て下端に開放部である下端開放部を形成し水平材の外側に上方から被さる様に嵌まる輪郭を持つ切欠き部を設けられる。楔部材が、前記取付金具本体に斜め上下方向に移動可能に取り付けられ、前記切欠き部が水平材の外側に上方から被さる様に嵌まる状態で、水平材に当接して前記下端開放部の少なくとも一部を閉塞する態様に配置される最下の位置である進出位置と、前記進出位置から斜め上方に移動して前記下端開放部を開放する態様に配置される位置である後退位置との間で位置を移動できる。ストッパが、前記取付金具本体が水平材から外された状態で前記楔部材が所定位置より下方に下がらない様に前記楔部材に当たる。
前記進出位置が前記所定位置よりも上方である。
その結果、取付金具を固定された一つの構成部材を水平材を一部にもつ他の構成部材に簡易に取り付けられる。
【００１４】
以下に、本発明の実施形態に係る仮設足場の構成部材を説明する。本発明は、以下に記載した実施形態のいずれか、またはそれらの中の二つ以上が組み合わされた態様を含む。
【００１５】
本発明の実施形態に係る仮設足場の構成部材は、一つの構成部材が仮設足場用踏板であって、水平材が他の構成部材である仮設足場用ブラケットの水平に延びる横架材であって、仮設足場用踏板の枠体の一部または全体を形成し前記取付金具本体を固定される構造部材が前記ストッパを兼ねる。
上記の実施形態の構成により、一つの構成部材が仮設足場用踏板である。水平材が他の構成部材である仮設足場用ブラケットの水平に延びる横架材である。仮設足場用踏板の枠体の一部または全体を形成し前記取付金具本体を固定される構造材が前記ストッパを兼ねる。
その結果、前記取付金具を利用して仮設足場用踏板を仮設足場用ブラケットに簡易に取り付けられる。
【００１６】
本発明の実施形態に係る仮設足場の構成部材は、前記切欠き部が水平材の外側に上方から被さる様に嵌まる状態で前記進出位置に位置する前記楔部材を下方に押すと前記取付金具本体と前記楔部材とが水平材を挟み込む様になった。
上記の実施形態の構成により、前記切欠き部が水平材の外側に上方から被さる様に嵌まる状態で前記進出位置に位置する前記楔部材を下方に押すと、前記取付金具本体と前記楔部材とが水平材を挟み込む様になった。
その結果、取付金具を固定する一つの構成部材が他の構成部材に滑りにくい。
【００１７】
本発明の実施形態に係る仮設足場の構成部材は、前記取付金具本体が前記切欠き部を設けられる取付金具本体片材と該取付金具本体片材の側面に固定され前記楔部材が通る楔部材取付穴の輪郭の少なくとも一部を形成される楔部材取付片とを持ち、前記楔部材取付片が横から見て面を斜め上下方向に向ける板材であり、前記楔部材が姿勢を前記後退位置にし上部を前記楔部材取付片の上部に近づける向きに回転したときに、前記楔部材が安定して保持される。
上記の実施形態の構成により、前記取付金具本体が前記切欠き部を設けられる取付金具本体片材と該取付金具本体片材の側面に固定され前記楔部材が通る楔部材取付穴の輪郭の少なくとも一部を形成される楔部材取付片とを持つ。前記楔部材取付片が横から見て面を斜め上下方向に向ける板材である。前記楔部材が姿勢を前記後退位置にし上部を前記楔部材取付片の上部に近づける向きに回転したときに、前記楔部材が安定して保持される。
その結果、簡単に取付金具を水平材から外すことをできる。
【発明の効果】
【００１８】
以上説明したように、本発明に係る取付金具は、その構成により、以下の効果を有する。
取付金具本体が下端開放部を形成する切欠き部を設けられ、取付金具本体に斜め上下方向に移動自在に取り付けられる楔部材が前記下端開放部の少なくとも一部を閉塞する進出位置と前記下端開放部を開放する後退位置との間で移動でき、水平材から外された状態でストッパにより前記楔部材が所定位置より下方に下がらない様に当たり、前記進出位置が前記所定位置よりも上方である様にしたので、取付金具を水平材に取り付けて部材本体と水平材とを連結できる。
また、前記切欠き部が水平材の外側に上方から被さる様に嵌まる状態で前記進出位置に位置する前記楔部材を下方に押すと、前記取付金具本体と前記楔部材とが水平材を挟み込む様にしたので、取付金具が水平材に取り付けられた取付箇所が滑りにくい。
また、前記切欠き部を設けられる前記取付金具本体片材の側面に取り付けられる楔部材取付片が記楔部材が通る楔部材取付穴の輪郭の少なくとも一部を形成し、横から見て面を斜め上下方向に向ける板材であり、前記楔部材が後退位置にあるときに上部を前記楔部材取付片の上部に近づける向きに回転したときに、前記楔部材が安定して保持される、様にしたので、簡単に取付金具を水平材から外すことをできる。
【００１９】
以上説明したように、本発明に係る仮設足場の構成部材は、その構成により、以下の効果を有する。
取付金具本体が下端開放部を形成する切欠き部を設けられ、取付金具本体に斜め上下方向に移動自在に取り付けられる楔部材が、前記下端開放部の少なくとも一部を閉塞する進出位置と前記下端開放部を開放する後退位置との間で移動でき、水平材から外された状態でストッパにより前記楔部材が所定位置より下方に下がらない様に当たり、前記進出位置が前記所定位置よりも上方である様にしたので、取付金具を固定された一つの構成部材を水平材を一部にもつ他の構成部材に簡易に取り付けられる。
また、前記仮設足場用踏板の枠体の一部または全部を形成する構造体に前記取付金具本体が固定され、前記取付金具本体が固定される構造材が前記ストッパを兼ねる様にしたので、前記取付金具を利用して仮設足場用踏板を仮設足場用ブラケットに簡易に取り付けられる。
また、前記切欠き部が水平材の外側に上方から被さる様に嵌まる状態で前記進出位置に位置する前記楔部材を下方に押すと、前記取付金具本体と前記楔部材とが水平材を挟み込む様にしたので、取付金具を固定する一つの構成部材が他の構成部材に滑りにくい。
また、前記切欠き部を設けられる前記取付金具本体片材の側面に取り付けられる楔部材取付片が記楔部材が通る楔部材取付穴の輪郭の少なくとも一部を形成し、横から見て面を斜め上下方向に向ける板材であり、前記楔部材が後退位置にあるときに上部を前記楔部材取付片の上部に近づける向きに回転したときに、前記楔部材が安定して保持される、様にしたので、簡単に取付金具を水平材から外すことをできる。
従って、水平材に連結できる取付金具であって簡易に連結でき連結箇所の滑りにくい取付金具とその取付金具を利用した仮設足場の構成部材を提供できる。
【図面の簡単な説明】
【００２０】
【図１】本発明の実施形態に係る踏板の正面図である。
【図２】本発明の実施形態に係る踏板の平面図である。
【図３】本発明の実施形態に係る踏板の裏面図である。
【図４】本発明の実施形態に係る踏板の側面図である。
【図５】本発明の実施形態に係る踏板のＡーＡ断面図である。
【図６】本発明の実施形態に係る踏板のＢ部詳細図である。
【図７】本発明の実施形態に係る踏板のＣ−Ｃ矢視図である。
【図８】本発明の実施形態に係る踏板のＤ−Ｄ矢視図である。
【図９】本発明の実施形態に係る踏板のＥ−Ｅ矢視図である。
【図１０】本発明の実施形態に係る踏板のＦ−Ｆ断面図である。
【図１１】本発明の実施形態に係る踏板のＧ−Ｇ断面図である。
【図１２】本発明の実施形態に係る取付金具の作動説明図その１である。
【図１３】本発明の実施形態に係る取付金具の作動説明図その２である。
【図１４】本発明の実施形態に係る取付金具の作動説明図その３である。
【図１５】本発明の実施形態に係る火打ちの平面図である。
【図１６】本発明の実施形態に係る火打ちのＨ部詳細図である。
【図１７】本発明の実施形態に係る仮設足場の一例の斜視図である。
【図１８】本発明の実施形態に係る仮設足場の一例の部分斜視図である。
【発明を実施するための形態】
【００２１】
以下、本発明を実施するための実施形態に係る取付金具とそれを用いる仮設足場の構成部材を、図面を参照して、説明する。
図１は、本発明の実施形態に係る踏板の正面図である。図２は、本発明の実施形態に係る踏板の平面図である。図３は、本発明の実施形態に係る踏板の裏面図である。図４は、本発明の実施形態に係る踏板の側面図である。図５は、本発明の実施形態に係る踏板のＡーＡ断面図である。図６は、本発明の実施形態に係る踏板のＢ部詳細図である。図７は、本発明の実施形態に係る踏板のＣ−Ｃ矢視図である。図８は、本発明の実施形態に係る踏板のＤ−Ｄ矢視図である。図９は、本発明の実施形態に係る踏板のＥ−Ｅ矢視図である。図１０は、本発明の実施形態に係る踏板のＦ−Ｆ断面図である。図１１は、本発明の実施形態に係る踏板のＧ−Ｇ断面図である。図１２は、本発明の実施形態に係る取付金具の作動説明図その１である。図１３は、本発明の実施形態に係る取付金具の作動説明図その２である。図１４は、本発明の実施形態に係る取付金具の作動説明図その３である。
【００２２】
以下では、取付金具を仮設足場の構成部材に用いる場合を例に、説明する。
仮設足場は、作業員が作業するための足場になる。
説明の便宜のため、仮設足場の一例を、図を基に、説明する。
図１７は、本発明の実施形態に係る仮設足場の一例の斜視図である。図１８は、本発明の実施形態に係る仮設足場の一例の部分斜視図である。
例えば、仮設足場は、足場用支柱１０とブラケット２０と踏板３０と手摺４０と火打ち５０と筋交い６０とで構成される。
以下では、取付金具を踏板３０と火打ち５０とに適用する。
【００２３】
最初に、足場用支柱１０の構成を説明する。
足場用支柱１０は、仮設足場を構成する支柱である。
足場用支柱１０の側面には、後述するくさび金具が脱着自在に固定される部材が設けられる。
複数の前後一対の足場用支柱１０を上方向に直列に重ねて繋ぎ柱を作る。
複数の柱を建築物の周囲に所定の間隔で並べる。
【００２４】
次ぎに、ブラケット２０の構成を説明する。
ブラケット２０は、足場用支柱１０に固定され、踏板３０と手摺４０を支持する構造体である。
ブラケット２０は、横架材２１と斜材２２と縦材２３と一対のくさび金具２４とで構成される。
横架材２１は、横方向に延びる短尺の長手部材である。横架材２１は、水平に延びる短尺の円管であってもよい。
斜材２２は、斜めに延びる長手部材であって、上方の一端を横架材２１に溶接固定される。
縦材２３は、縦方向に延びる長手部材であって、上方の一端を横架材２１に溶接固定され、下方の他端を斜材２２に溶接固定される。
一対のくさび金具２４は、足場用支柱１０に脱着可能に固定される金具であって、横架材２１の両端に溶接固定される。
【００２５】
次ぎに、踏板３０の構成を説明する。
踏板３０は、上から見て長方形の輪郭をもつ作業床を形成する構造部材であって、長方形の短辺の側をブラケット２０の横架材２１に支持される。
踏板３０は、踏板部材本体２００と取付金具１００とで構成される。、
踏板部材本来２０は、踏板枠体２１０と踏板面材２２０と踏板裏材２３０とで構成される。
踏板枠体２１０は、上から見て、長方形の輪郭をもつ構造体である。
踏板枠体２１０は、一対の踏板枠体短辺材２１１と一対の踏板枠体長辺材２１２と一対の踏板枠体中間材２１３とで構成される、
一対の踏板枠体短辺材２１１が、長方形の短辺を形成する。
一対の踏板枠体長辺材２１２が、長方形の長辺を形成する。
一対の踏板枠体中間材２１３は、  一対の踏板枠体長辺材２１２に挟まれ、両端を一対の一対の踏板枠体短辺材２１１に固定される。
踏板面材２２０は、踏板枠体２１０の上部に作業面を形成する面材である。例えば、踏板面材２２０は、踏板枠体２１０の上部に貼られるエキスパンドメタルである。
踏板裏材２３０は、踏板枠体２１０の下面を補強する部材である。例えば、踏板面材２２０は、一対の踏板枠体短辺材２１１に挟まれて、両端を一対の踏板枠体長辺材２１２に固定する部材である。
【００２６】
取付金具１００は、部材本体に固定され水平に延びる長手部材である水平材に連結できる。
水平材は、ブラケット２０の水平に延びる横架材２１である。
取付金具１００は、踏板部材本体２００に固定され水平に延びる長手部材である水平材に連結できる。
【００２７】
取付金具１００は、一対の取付金具１００ａと一対の取付金具１００ｂとで構成される。
一個の取付金具１００ａと一個の取付金具１００ｂとが、一対の踏板枠体短辺材２１１のうちの一方の踏板枠体短辺材２１１に固定される。
一個の取付金具１００ａと一個の取付金具１００ｂとが、一対の踏板枠体短辺材２１１のうちの他方の踏板枠体短辺材２１１に固定される。
【００２８】
取付金具１００ａは、取付金具本体１１０と楔部材１２０とで構成される。
取付金具１００ａは、取付金具本体１１０と楔部材１２０とストッパ１３０とで構成されてもよい。
図６乃至図１１は、取付金具１００ａの構造を示す。
【００２９】
取付金具本体１１０は、横から見て下端に開放部である下端開放部Ｘを形成し水平材の外側に上方から被さる様に嵌まる輪郭を持つ切欠き部Ｗを設けられる部材である。
取付金具本体１１０は、横から見て下端に開放部である下端開放部Ｘを形成し水平材の外側に上方から被さる様に嵌まる下向きコの字状の輪郭を持つ切欠き部Ｗを設けられる部材であってもよい。
【００３０】
取付金具本体１１０は、取付金具本体片材１１１と楔部材取付片１１２とで構成されてもよい。
取付金具本体１１０は、取付金具本体片材１１１と楔部材取付片１１２と取付金具本体突起部１１３とで構成されてもよい。
取付金具本体片材１１１は、切欠き部Ｗを設けられる部材である。
取付金具本体片材１１１は、切欠き部Ｗを設けられる板材であってもよい。
切欠き部Ｗは、水平材に相当する横架材２１の長手方向に直交する断面の外側に上方から被さる様に嵌まる。
切欠き部Ｗの輪郭の上部が水平材に相当する横架材２１の外形の上半分の輪郭に一致してもよい。
例えば、取付金具本体片材１１１は、切欠き部Ｗを設けられ、コの字状の形状をもつ板材である。
切欠き部Ｗが水平材に相当する横架材２１の外側に上方から被さる様に嵌まる姿勢で  横架材２１の長手方向が、取付金具本体片材１１１の板材の面に直交する。
例えば、取付金具本体片材１１１は、切欠き部Ｗを設けられ、コの字状の形状をもち、横向きの縁を踏板枠体短辺材２１１に溶接固定される板材である。
【００３１】
楔部材取付片１１２は、後述する楔部材１２０を斜め上下方向に移動自在に支持する部材である。
楔部材取付片１１２は、後述する楔部材１２０が通る楔部材取付穴Ｓの輪郭を形成する部材であってもよい。
楔部材取付片１１２は、後述する楔部材１２０が通る楔部材取付穴Ｓの輪郭の少なくとも一部を形成する部材であってもよい。
例えば、楔部材取付片１１２は、後述する楔部材１２０が通る楔部材取付穴Ｓの輪郭のの一部を形成する板材である。
楔部材取付片１１２は、取付金具本体片材の側面に固定されてもよい。
例えば、楔部材取付片１１２は、面を略斜め上下方向に向け、一端を取付金具本体片材１１１の表面に溶接固定される板材である。
例えば、楔部材取付穴Ｓは、楔部材取付片１１２の縁部と取付金具本体片材１１１の表面とで囲まれる貫通穴である。
楔部材取付片１１２は、横から見て、面を斜め上下方向に向け斜め上方へ湾曲する曲り部Ｒを形成される板材であってもよい。  
楔部材取付片１１２は、横から見て、面を斜め上下方向に向け中間に斜め上方へ湾曲する曲り部Ｒを形成される板材であってもよい。
例えば、楔部材取付片１１２は、横から見て、面を略斜め上下方向に向け、中間に斜め上方に湾曲する曲り部Ｒを形成され、横方向の縁を取付金具本体片材１１１の表面に溶接固定される板材である。
横から見て、楔部材取付穴Ｓの位置は、曲り部Ｒの位置に一致しても良い。
【００３２】
取付金具本体突起部１１３は、取付金具本体片材１１１の表面に形成される突起を形成する部分である。
例えば、取付金具本体突起部１１３は、取付金具本体片材１１１の表面に形成される２つの突起を形成する部分である。
例えば、取付金具本体突起部１１３は、取付金具本体片材１１１である板材の裏面から押されて表面に形成される２つの突起する部分である。
取付金具本体突起部１１３は、後述する楔部材１２０の取付金具本体片材１１１の表面に向ける面に対向する様に形成される。
取付金具本体突起部１１３は、後述する楔部材１２０が斜め上下方向に移動する状態で、楔部材１２０の取付金具本体片材１１１の表面に向ける面に接触する。
この様にすると、楔部材が上下方向に安定して移動できる。
【００３３】
楔部材１２０は、取付金具本体１１０に斜め上下方向に移動可能に取り付けられ、切欠き部Ｗが水平材の外側に上方から被さる様に嵌まる状態で、水平材に当接して下端開放部Ｘの少なくとも一部を閉塞する態様に配置される最下の位置である進出位置と、進出位置から斜め上方に移動して下端開放部Ｘを開放する態様に配置される位置である後退位置との間で位置を移動できる部材である。
楔部材１２０は、取付金具本体１１０に斜め上下方向に移動可能に取り付けられ、切欠き部Ｗが水平材の外側に上方から被さる様に嵌まる状態で、水平材に当接して下端開放部Ｘの少なくとも一部を閉塞する態様に配置される最下の位置である進出位置と、進出位置から斜め上方に移動して下端開放部Ｘを開放する態様に配置される最上の位置である後退位置との間で位置を移動できる部材であってもよい。
例えば、楔部材１２０は、取付金具本体１１０に斜め上下方向に移動可能に取り付けられ、切欠き部Ｗが水平材に相当するブラケット２０の横架材２１の外側に上方から被さる様に嵌まる状態で、水平材に当接して下端開放部Ｘの少なくとも一部を閉塞する態様に配置される最下の位置である進出位置と、進出位置から斜め上方に移動して下端開放部Ｘを開放する態様に配置される最上の位置である後退位置との間で位置を移動できる部材である。
【００３４】
楔部材１２０が、姿勢を前記後退位置にして上部を前記楔部材取付片の上部に近づける向きに回転したときに前記楔部材が安定して保持されてもよい。
楔部材１２０が下端部を曲り部Ｒの位置に一致させて曲り部Ｒの位置を中心に回転したときに、楔部材１２０が安定して保持されてもよい。
楔部材１２０が下端部を曲り部Ｒの位置に一致させて上部を楔部材取付片１１２の上部に近づける向きに回転したときに、楔部材１２０が安定して保持されてもよい。
楔部材１２０が下端部を曲り部Ｒの位置に一致させて上部を楔部材取付片１１２の上部に近づける向きに回転したときに、下端開放部を開放した状態で楔部材１２０が安定して保持されてもよい。
【００３５】
楔部材１２０は、楔部材本体１２１と楔部材本体突起部１２２とで構成されてもよい。
例えば、楔部材本体１２１は、面を含む平面上で湾曲した板材である。
例えば、楔部材本体１２１は、面を含む平面上で湾曲した板材であり、裏面を取付金具本体片材１１１の表面に向けて、楔部材取付穴Ｓに斜め上下方向に移動自在に案内される。
楔部材本体突起部１２２は、楔部材本体１２１の表面の下側に設けられる突起する部分である。
楔部材本体突起部１２２は、楔部材本体１２１の下端部の近傍に設けられる突起する部分であってもよい。
楔部材１２０が楔部材取付穴Ｓに案内されて上方に移動すると楔部材本体突起部１２２が楔部材取付片１１２に当たる。その結果、楔部材１２０が楔部材取付穴Ｓから上方に抜けるのを阻止される。
楔部材１２０が楔部材取付穴Ｓに案内されて上方に移動すると楔部材本体突起部１２２が楔部材取付片１１２の曲り部Ｒに当たる。その結果、楔部材１２０が楔部材取付穴Ｓから上方に抜けるのを阻止される。
【００３６】
楔部材本体突起部１２２が楔部材取付片１１２に当たる状態で、楔部材１２０が楔部材取付片１１２の位置を中心に回転してもよい。  その結果、楔部材１２０が安定して保持される。
例えば、楔部材本体突起部１２２が楔部材取付片１１２に当たる状態で、楔部材１２０が楔部材取付片１１２の位置を中心に回転し、楔部材１２０が安定して保持される様子が示される。
図１３には、楔部材本体突起部１２２が楔部材取付片１１２に当たる状態で、楔部材１２０が楔部材取付片１１２の曲り部Ｒの位置を中心に回転し、楔部材１２０が安定して保持される様子が示される。
【００３７】
ストッパ１３０は、取付金具本体１１０が水平材から外された状態で楔部材１２０が所定位置より下方に下がらない様に楔部材に当たる部材である。
ストッパ１３０は、取付金具本体１１０が水平材に相当する相当するブラケット２０の横架材２１から外された状態で楔部材１２０が所定位置より下方に下がらない様に楔部材に当たる部材である。
進出位置は所定位置よりも上方である。
取付金具本体１１０が水平材から外され楔部材１２０がストッパ１３０に当たった状態から取付金具本体１１０を水平材に上方から接近させると楔部材１２０が水平材に当たって押されて上方へ相対移動し、切欠き部Ｗが水平材の外側に上方から被さる様に嵌まると楔部材１２０が重力で下方に落下して下端開放部Ｘの少なくとも一部を閉塞する様になっている。
【００３８】
仮設足場用の踏板３０の枠体の一部または全体を形成し取付金具本体を固定される構造材がストッパを兼ねてもよい。
例えば、踏板枠体２１０がストッパ１３０を兼ねる。
例えば、踏板枠体短辺材２１１がストッパ１３０を兼ねる。
図６には、踏板枠体短辺材２１１が、ストッパ１３０を兼ね、取付金具本体１１０が水平材から外された状態で楔部材１２０が所定位置より下方に下がらない様に楔部材に当たる様子を示される。
【００３９】
切欠き部Ｗが水平材の外側に上方から被さる様に嵌まる状態で進出位置に位置する楔部材１２０を下方に押すと、取付金具本体１１０と楔部材１２０とが水平材を挟み込む様になってもよい。
切欠き部Ｗが水平材の外側に上方から被さる様に嵌まる状態で進出位置に位置する楔部材１２０を下方に押すと、取付金具本体１１０と楔部材１２０とが水平材を所定の力で挟み込む様になってもよい。
図１４の最下段の図に、取付金具本体１１０と楔部材１２０とが水平材を挟み込む様子が示される。
【００４０】
取付金具１００ｂは、取付金具本体片材１１１で構成される。
【００４１】
以下に、本発明の実施形態にかかる取付金具とそれを備えた仮設足場の構成部材の作用を、図を基に、説明する、
図１４は、取付金具本体１１０が水平材から外され楔部材１２０がストッパ１３０に当たった状態から下方に下がって水平材に嵌まる様子を示す。
ブラケット２０の横架材２１が水平材に相当する。
踏板３０の踏板枠体短辺材２１１がストッパ１３０に相当する。
−最上段の図−
取付金具本体１１０が水平材から外され楔部材１２０がストッパ１３０に当たった状態を示す。
−上から２段目の図−
取付金具本体を水平材に上方から接近させると楔部材が水平材に当たって押されて上方へ相対移動する。
−上から３段目の図−
切欠き部Ｗが水平材の外側に上方から被さる様に嵌まると楔部材１２０が重力で下方に落下する。
−最下段の図−
切欠き部Ｗが水平材の外側に上方から被さる様に嵌まる状態で楔部材１２０を下方に押すと、取付金具本体１１０と楔部材１２０とが水平材を挟み込む様にる。
【００４２】
図１３は、取付金具本体１１０が水平材から外された様子を示す。
楔部材１２０を下方から叩いて、楔部材１２０を上方に持ちあげる。楔部材本体突起部１２２が楔部材取付片１１２に当たる状態で、楔部材１２０が楔部材取付片１１２の曲り部Ｒの位置を中心に回転し、楔部材１２０が安定して保持される。
取付金具本体１１０が水平材から外さる。
【００４３】
次ぎに、手摺４０の構成を説明する。
手摺４０は、踏板３０に乗って作業するための手摺である。
手摺４０は、手摺本体と一対のくさび金具とで構成される。
手摺本体は、長尺部材である。
一対のくさび金具は、足場用支柱１０に脱着可能に固定される金具であって、長尺部材の両端に各々に固定される。
【００４４】
次ぎに、火打ち５０の構成を、図を基に、説明する。
図１５は、本発明の実施形態に係る火打ちの平面図である。図１６は、本発明の実施形態に係る火打ちのＨ部詳細図である。
火打ち５０は、仮設足場の剛性を高めるため、直交する手摺４０に渡って掛ける構成部材である。
火打ち５０が、火打ち本体３００と一対の取付金具１００ａとで構成される。
火打ち本体３００は、水平にして用いる長尺部材である。
一対の取付金具１００ａは、直交する手摺４０に各々に取付される金具部材である。
取付金具１００ａの主要な構造は、ストッパ１３０を除き踏板３０に用いられるものと同じである。
ストッパ１３０は、取付金具本体に固定される片材である。
ストッパ１３０は、火打ち本体３００の一部であってもよい。
【００４５】
次ぎに、筋交い６０の構成を、説明する。
筋交い６０は、仮設足場の剛性をたかめるために、隣り合う足場用支柱１０に渡って掛ける構成部材である。
筋交い６０は、筋交い本体と一対のくさび金具とで構成される。
筋交い本体は、斜めににて用いる長尺部材である。
くさび金具は、足場用支柱１０に固定される部材である。
一対のくさび金具が、筋交い本体の両端に各々に固定される。
【００４６】
以上に説明したように、本発明の実施形態にかかる取付金具は、その構成により、以下の効果を有する。
取付金具本体１１０が下端開放部Ｘを形成する下向きコの字状の切欠き部Ｗを設けられ、取付金具本体１１０に斜め上下方向に移動自在に取り付けられる楔部材１２０が、下端開放部Ｘの少なくとも一部を閉塞する最下の進出位置と下端開放部Ｘを開放する後退位置との間で移動でき、水平材から外された状態でストッパ１３０により楔部材１２０が所定位置より下方に下がらない様に当たり、前記進出位置が前記所定位置よりも上方である様にしたので、取付金具を水平材に取り付けて部材本体と水平材とを連結できる。
また、取付金具本体１１０が下端開放部Ｘを形成する下向きコの字状の切欠き部Ｗを設けられ、取付金具本体１１０に斜め上下方向に移動自在に取り付けられる楔部材１２０が、下端開放部Ｘの少なくとも一部を閉塞する進出位置と下端開放部Ｘを開放する後退位置との間で移動でき、水平材から外された状態でストッパ１３０により楔部材１２０が所定位置より下方に下がらない様に当たり、取付金具本体１１０を水平材に接近させると楔部材１２０が水平材に押されて上方に相対移動し切欠き部Ｗが水平材に嵌まると楔部材１２０が重力で下方に落下して下端開放部Ｘの少なくとも一部を閉塞する様にしたので、取付金具を水平材に取り付けて部材本体と水平材とを連結できる。
また、切欠き部Ｗが水平材の外側に上方から被さる様に嵌まる状態で進出位置に位置する楔部材を下方に押すと、取付金具本体１１０と楔部材１２０とが水平材を挟み込む様にしたので、取付金具が水平材に取り付けられた取付箇所が滑りにくい。
また、楔部材が姿勢を後退位置にし上部を楔部材取付片の上部に近づける向きに回転したときに、楔部材が安定して保持される様にしたので、簡単に取付金具を水平材から外すことをできる。
また、楔部材本体突起部１２２が楔部材取付片１１２に当たる状態で、楔部材１２０が楔部材取付片１１２の曲り部Ｒの位置を中心に回転し、楔部材１２０が安定して保持される様にしたの、簡単に取付金具を水平材から外すことをできる。
また、切欠き部Ｗを設けられる取付金具本体片材の側面に取り付けられる楔部材取付片が楔部材が通る楔部材取付穴の輪郭の少なくとも一部を形成し、横から見て面を斜め上下方向に向け中間に斜め上方へ湾曲する曲り部を形成される板材であり、楔部材１２０が下端部を曲り部Ｒの位置に一致させて上部を楔部材取付片の上部に近づける向きに回転したときに、楔部材が安定して保持される、様にしたので、簡単に取付金具を水平材から外すことをできる。
【００４７】
以上説明したように、本発明の実施形態に係る仮設足場の構成部材は、その構成により、以下の効果を有する。
取付金具本体が下端開放部を形成する下向きコの字状の切欠き部を設けられ、取付金具本体に斜め上下方向に移動自在に取り付けられる楔部材が、下端開放部の少なくとも一部を閉塞する最下の進出位置と下端開放部を開放する後退位置との間で移動でき、水平材から外された状態でストッパにより楔部材が所定位置より下方に下がらない様に当たり、前記進出位置が前記所定位置よりも上方である様にしたので、取付金具を固定された一つの構成部材を水平材を一部にもつ他の構成部材に簡易に取り付けられる。
また、取付金具本体が下端開放部を形成する下向きコの字状の切欠き部を設けられ、取付金具本体に斜め上下方向に移動自在に取り付けられる楔部材が、下端開放部の少なくとも一部を閉塞する進出位置と下端開放部を開放する後退位置との間で移動でき、水平材から外された状態でストッパにより楔部材が所定位置より下方に下がらない様に当たり、取付金具本体を水平材に接近させると楔部材が水平材に押されて上方に相対移動し切欠き部が水平材に嵌まると楔部際が重力で下方に落下して下端開放部の少なくとも一部を閉塞する様にしたので、取付金具を固定された一つの構成部材を水平材を一部にもつ他の構成部材に簡易に取り付けられる。
また、仮設足場用踏板の枠体の一部または全部を形成する構造体に取付金具本体が固定され、取付金具本体が固定される構造材がストッパを兼ねる様にしたので、取付金具を利用して仮設足場用踏板を仮設足場用ブラケットに簡易に取り付けられる。
また、切欠き部Ｗが水平材の外側に上方から被さる様に嵌まる状態で進出位置に位置する楔部材を下方に押すと、取付金具本体と楔部材とが水平材を挟み込む様にしたので、取付金具を固定する一つの構成部材が他の構成部材に滑りにくく取付できる。
また、楔部材が姿勢を後退位置にし上部を楔部材取付片の上部に近づける向きに回転したときに、楔部材が安定して保持される様にしたので、簡単に取付金具を水平材から外すことをできる。
また、切欠き部Ｗを設けられる取付金具本体片材の側面に取り付けられる楔部材取付片が楔部材が通る楔部材取付穴の輪郭の少なくとも一部を形成し、横から見て面を斜め上下方向に向け中間に斜め上方へ湾曲する曲り部を形成される板材であり、楔部材１２０が下端部を曲り部Ｒの位置に一致させて上部を楔部材取付片の上部に近づける向きに回転したときに、楔部材が安定して保持される、様にしたので、簡単に取付金具を水平材から外すことをできる。
【００４８】
本発明は以上に述べた実施形態に限られるものではなく、発明の要旨を逸脱しない範囲で各種の変更が可能である。
踏板の説明におおいて、踏板の取付金具１００が一対の取付金具１００ａと一対の取付金具１００ｂとで構成されると説明したが、これに限定されない。例えば、取付金具１００ｂに替えて取付金具１００ａを備えてもよい。
【符号の説明】
【００４９】
Ｓ  楔部材取付穴
Ｗ  切欠き部
Ｘ  下端開放部
Ｒ  曲り部
１０  足場用支柱
２０  ブラケット
２１  横架材
２２  斜材
２３  縦材
２４  くさび金具
３０  踏板
４０  手摺
５０  火打ち
６０  筋交い
１００  取付金具
１００ａ  取付金具
１００ｂ  取付金具
１１０  取付金具本体
１１１  取付金具本体片材
１１２  楔部材取付片
１１３  取付金具本体突起部
１２０  楔部材
１２１  楔部材本体
１２１  楔部材本体突起部
１３０  ストッパ
２００  踏板部材本体
２１０  踏板枠体
２１１  踏板枠体短辺材
２１２  踏板枠体長辺材
２１３  踏板枠体中間材  
２２０  踏板面材
２３０  踏板裏材
３００  火打ち部材本体
【先行技術文献】
【特許文献】
【００５０】
【特許文献１】実開平１１−１３１７９３号
【特許文献２】特開２００１−１６４７４９号
【特許文献３】実開２００８−０９９９０４号
【特許文献４】実開２００８−３０８８６２号
【特許文献５】実開２０１２−１８０７２７号
【図１】
2016089444.tif 000003
【図２】
2016089444.tif 000004
【図３】
2016089444.tif 000005
【図４】
2016089444.tif 000006
【図５】
2016089444.tif 000007
【図６】
2016089444.tif 000008
【図７】
2016089444.tif 000009
【図８】
2016089444.tif 000010
【図９】
2016089444.tif 000011
【図１０】
2016089444.tif 000012
【図１１】
2016089444.tif 000013
【図１２】
2016089444.tif 000014
【図１３】
2016089444.tif 000015
【図１４】
2016089444.tif 000016
【図１５】
2016089444.tif 000017
【図１６】
2016089444.tif 000018
【図１７】
2016089444.tif 000019
【図１８】
2016089444.tif 000020